(57)【要約】【課題】  画像データファイルにトリミングのための情報を容易に付加できる技術を提供する。【解決手段】  トリミング可能画像撮影モードが選択されている場合、ユーザが撮影すると指定するユーザ設定画像ｉｍ＿ｕｓと、斜線で示すトリミング調整用画像ｉｍ＿ｔｒとを併せた拡張画像ｉｍ＿ｅｘを撮影する。そして、ユーザ設定画像ｉｍ＿ｕｓの領域を示す情報を、トリミング情報ｔｒとして、拡張画像ｉｍ＿ｅｘの画像データと共に記録する。画像の印刷時には、トリミング情報ｔｒに基づいて拡張画像ｉｍ＿ｅｘをトリミングし、ユーザ設定画像ｉｍ＿ｕｓを印刷する。【選択図】        図２
2006279661.tif 000002
【特許請求の範囲】
【請求項１】
デジタルカメラであって、
光学系を使用して画像データを取得する画像データ取得部と、
複数の撮影モードの中から１つの撮影モードを指定するための撮影モード指定部と、
前記指定されたモードで撮影した画像の画像データを含む画像ファイルを作成してメモリに記録する画像ファイル作成部と、
前記デジタルカメラのファインダとして機能する表示部と、
を備え、
前記複数の撮影モードは、前記表示部の全体に表示される画像の領域であるユーザ設定画像領域の外周にトリミング調整用画像領域を設け、前記ユーザ設定画像領域と前記トリミング調整用画像領域とを併せた拡張画像領域の画像を撮影するトリミング可能画像撮影モードを含み、
前記画像ファイル作成部は、前記トリミング可能画像撮影モードで撮影が行なわれるときに、前記ユーザ設定画像領域を示すトリミング枠を表わすためのトリミング情報を画像データとともに前記画像ファイル内に登録する、
デジタルカメラ。
【請求項２】
請求項１記載のデジタルカメラであって、
前記複数の撮影モードは、更に、前記トリミング情報の登録を行なわない通常撮影モードを備える、
デジタルカメラ。
【請求項３】
請求項２記載のデジタルカメラであって、
前記トリミング調整用画像領域は、前記通常撮影モードにおいて前記ユーザ設定画像領域の外周に設定される付加的な画像領域よりも広い領域として設定される、
デジタルカメラ。
【請求項４】
請求項１ないし３のいずれかに記載のデジタルカメラであって、更に、
前記トリミング情報に基づいて前記画像データに対してトリミングを実行することによって、前記ユーザ設定画像領域の画像を表わすトリミング画像データを作成するトリミング実行部、
を備えたデジタルカメラ。
【請求項５】
請求項１ないし４のいずれかに記載のデジタルカメラであって、
前記表示部は、前記トリミング可能画像撮影モードが選択されているときに、前記デジタルカメラの撮像素子が捉える前記拡張画像領域の画像から前記トリミング調整用画像領域の画像を除いて前記ユーザ設定画像領域の画像を表示するトリミング画像表示モードを有する、
デジタルカメラ。
【請求項６】
請求項５記載のデジタルカメラであって、
前記表示部は、前記トリミング可能画像撮影モードで前記メモリに記録された画像ファイルを読み出して、前記拡張画像領域の画像を表示する拡張画像表示モードを有する、
デジタルカメラ。
【請求項７】
請求項６記載のデジタルカメラであって、更に、
前記拡張画像表示モードにおいて画像が前記表示部に表示されているときに、前記トリミング枠を前記拡張画像領域内で調整するためのトリミング枠調整部を備えた、
デジタルカメラ。
【請求項８】
画像ファイル作成方法であって、
光学系を使用して画像データを取得する工程と、
複数の撮影モードの中から１つの撮影モードを指定するための工程と、
前記指定されたモードで撮影した画像の画像データを含む画像ファイルを作成してメモリに記録する工程と、
前記デジタルカメラのファインダに画像を表示する工程と、
を備え、
前記複数の撮影モードは、前記画像を表示する工程においてファインダに表示される画像全体の領域であるユーザ設定画像領域の外周にトリミング調整用画像領域を設け、前記ユーザ設定画像領域と前記トリミング調整用画像領域とを併せた拡張画像領域の画像を撮影するトリミング可能画像撮影モードを含み、
前記画像ファイルを作成してメモリに記録する工程においては、前記トリミング可能画像撮影モードで撮影が行なわれるときに、前記ユーザ設定画像領域を示すトリミング枠を表わすためのトリミング情報を画像データとともに前記画像ファイル内に登録する、
画像ファイル作成方法。
【発明の詳細な説明】
【技術分野】
【０００１】
本発明は、デジタルカメラに関する。
【背景技術】
【０００２】
ユーザは、デジタルカメラでの撮影時に、撮影した画像にトリミングをしたり、トリミングの形を指定したりする処理を行なうことがあった。
【０００３】
【特許文献１】特開２００３−３０４４４１号公報
【特許文献２】特開２００５−２０３０６号公報
【発明の開示】
【発明が解決しようとする課題】
【０００４】
しかしながら、従来は、上記各処理を行なうためには、ユーザがトリミング枠設定のための操作を行なうことが必須であり、操作が煩わしくなることもあった。
【０００５】
本発明は、上記した問題点を解決するためになされたものであり、画像データファイルにトリミングのための情報を容易に付加できる技術を提供することを目的とする。
【課題を解決するための手段】
【０００６】
上記課題の少なくとも一部を解決するため、本発明によるデジタルカメラは、
光学系を使用して画像データを取得する画像データ取得部と、
複数の撮影モードの中から１つの撮影モードを指定するための撮影モード指定部と、
前記指定されたモードで撮影した画像の画像データを含む画像ファイルを作成してメモリに記録する画像ファイル作成部と、
前記デジタルカメラのファインダとして機能する表示部と、
を備え、
前記複数の撮影モードは、前記表示部の全体に表示される画像の領域であるユーザ設定画像領域の外周にトリミング調整用画像領域を設け、前記ユーザ設定画像領域と前記トリミング調整用画像領域とを併せた拡張画像領域の画像を撮影するトリミング可能画像撮影モードを含み、
前記画像ファイル作成部は、前記トリミング可能画像撮影モードで撮影が行なわれるときに、前記ユーザ設定画像領域を示すトリミング枠を表わすためのトリミング情報を画像データとともに前記画像ファイル内に登録することを特徴とする。
【０００７】
本発明のデジタルカメラによれば、トリミング可能画像撮影モードで撮影が行なわれると、ユーザがトリミング枠の設定を行なわなくても画像ファイル作成部がトリミング枠を表わすためのトリミング情報を自動的に画像ファイル内に登録するので、画像ファイルにトリミングのための情報を容易に付加できる。
【０００８】
前記複数の撮影モードは、更に、前記トリミング情報の登録を行なわない通常撮影モードを備えるものとしても良い。
【０００９】
前記トリミング調整用画像領域は、前記通常撮影モードにおいて前記ユーザ設定画像領域の外周に設定される付加的な画像領域よりも広い領域として設定されるものとしても良い。
【００１０】
更に、前記トリミング情報に基づいて前記画像データに対してトリミングを実行することによって、前記ユーザ設定画像領域の画像を表わすトリミング画像データを作成するトリミング実行部を備えるものとしても良い。
【００１１】
これによれば、デジタルカメラでトリミングを実行し、トリミング画像データを作成することができる。
【００１２】
前記表示部は、前記トリミング可能画像撮影モードが選択されているときに、前記デジタルカメラの撮像素子が捉える前記拡張画像領域の画像から前記トリミング調整用画像領域の画像を除いて前記ユーザ設定画像領域の画像を表示するトリミング画像表示モードを有するものとしても良い。
【００１３】
これによれば、ユーザは、撮影前にユーザ設定画像領域の画像を確認することができる。
【００１４】
前記表示部は、前記トリミング可能画像撮影モードで前記メモリに記録された画像ファイルを読み出して、前記拡張画像領域の画像を表示する拡張画像表示モードを有するものとしても良い。
【００１５】
これによれば、ユーザは、撮影後に拡張画像領域の画像を確認することができる。
【００１６】
更に、前記拡張画像表示モードにおいて画像が前記表示部に表示されているときに、前記トリミング枠を前記拡張画像領域内で調整するためのトリミング枠調整部を備えるものとしても良い。
【００１７】
これによれば、ユーザは、トリミング枠を拡張画像領域内で調整することができる。
【００１８】
なお本発明は種々の形態で実現可能であり、例えば、画像ファイル作成方法や、これらの方法または装置の機能の少なくとも一部を実現するためのコンピュータプログラム、そのプログラムを記録した記録媒体等の形態で実現可能である。
【発明を実施するための最良の形態】
【００１９】
図１（ａ）は、実施例としてのデジタルカメラ１００を含む画像処理システムを示す説明図である。デジタルカメラ１００は、撮影部１１０と、記録部１２０と、記憶部１３０と、トリミング実行部１４０を備える。撮影部１１０は、画像を撮影し、画像データを取得する。記録部１２０は、記憶部１３０に画像データを記録する。記憶部１３０は、メモリーカードである。トリミング実行部１４０は、トリミング情報に基づいてトリミングを実行する。トリミング情報については後述する。撮影部１１０は、本発明の画像データ取得部に相当し、記録部１２０は、本発明の画像ファイル作成部に相当する。
【００２０】
図１（ｂ）は、デジタルカメラ１００の背面図である。デジタルカメラ１００は、操作ボタンとして、トリミング可能画像撮影モードボタン１５１と、編集モードボタン１５２と、ズームボタン１５３と、移動ボタン１５４と、取消ボタン１５５を備える。デジタルカメラ１００は、表示部１５０も備える。トリミング可能画像撮影モードボタン１５１は、トリミング可能画像撮影モードの選択／非選択を切り替えるためのボタンである。トリミング可能画像撮影モードとは、ユーザによって撮像対象として設定されるユーザ設定画像領域の外周にトリミング調整用画像領域を設け、ユーザ設定画像領域とトリミング調整用画像領域とを併せた拡張画像領域の画像を撮影するモードである。詳しくは後述する。トリミング可能画像撮影モードボタン１５１は、本発明の撮影モード指定部に相当する。
【００２１】
編集モードボタン１５２は、編集モードの選択／非選択を切り替えるためのボタンである。編集モードとは、ユーザ設定画像領域を示すトリミング枠を編集するためのモードである。編集モード時に、移動ボタン１５４は機能する。移動ボタン１５４は、トリミング枠を移動するためのボタンである。移動ボタン１５４は、本発明のトリミング枠調整部に相当する。取消ボタン１５５は、編集モードにおけるトリミング枠の移動操作を取り消すためのボタンである。表示部１５０は、デジタルカメラ１００のＣＣＤパネルが捉える画像や、撮影後の画像データに基づく画像を表示する。
【００２２】
図２は、トリミング可能画像撮影モード時の撮影について示す説明図である。図２（ａ）は、デジタルカメラのＣＣＤパネル（撮像素子）が捉える画像ｉｍ＿ｅｘを示し、図２（ｂ）は、デジタルカメラ１００の背面を示す。トリミング可能画像撮影モードでは、この全体の画像ｉｍ＿ｅｘは、ユーザによりフレーミングされた画像ｉｍ＿ｕｓと、その外周に付加された斜線で示すトリミング調整用画像領域の画像ｉｍ＿ｔｒとで構成される。以下では、フレーミングされた画像ｉｍ＿ｕｓを「ユーザ設定画像」と呼び、その外周に付加された画像ｉｍ＿ｔｒを「トリミング調整用画像」と呼び、全体の画像ｉｍ＿ｅｘを「拡張画像」と呼ぶ。また、ユーザ設定画像ｉｍ＿ｕｓの画像領域を「ユーザ設定画像領域」と呼び、トリミング調整用画像ｉｍ＿ｔｒの画像領域を「トリミング調整用画像領域」と呼び、拡張画像ｉｍ＿ｅｘの画像領域を「拡張画像領域」と呼ぶ。
【００２３】
ユーザがトリミング可能画像撮影モードボタン１５１を押下して、トリミング可能画像撮影モードが選択されると、表示部１５０は、ＣＣＤパネルが捉える拡張画像ｉｍ＿ｅｘから、所定幅のトリミング調整用画像ｉｍ＿ｔｒを除き、ユーザ設定画像ｉｍ＿ｕｓを表示する。このとき、表示部１５０はファインダとして機能している。撮影部１１０は、ＣＣＤパネルが捉える拡張画像ｉｍ＿ｅｘを撮影し、拡張画像ｉｍ＿ｅｘの画像データ（以下、拡張画像データと呼ぶ）を取得する。デジタルカメラ１００の記録画素数が十分大きい場合には、この撮影モードにおいてもユーザ設定画像ｉｍ＿ｕｓの表示や印刷に十分な解像度でユーザ設定画像ｉｍ＿ｕｓの画像データを取得することができる。
【００２４】
一方、図２（ｃ）は、トリミング可能画像撮影モードが選択されていない場合の通常撮影モードの場合の撮影範囲を示す。カメラによっては、この例のように、トリミング可能画像撮影モード時ではない場合にも、ユーザ設定画像ｉｍ＿ｕｓの外周に、若干の領域を付加した領域の画像が取得される場合がある。しかし、この場合にも、通常撮影モードでは、トリミング可能画像撮影モードと比較すると、ユーザ設定画像ｉｍ＿ｕｓの外周に付加される領域は狭いことが理解できる。
【００２５】
トリミング可能画像撮影モードにおいて、ユーザ設定画像領域はトリミング枠として設定される。デフォルトでは、ユーザ設定画像ｉｍ＿ｕｓの画像領域は、拡張画像ｉｍ＿ｅｘの画像領域から所定幅のトリミング調整用画像ｉｍ＿ｔｒの画像領域を除いた領域である。記録部１２０は、ユーザ設定画像領域を示すトリミング枠を表わすためのトリミング情報を拡張画像データに付加した画像データファイルを、記憶部１３０に記録する。
【００２６】
図３は、画像データファイルｉｄｆの様式を示す説明図である。画像データファイルｉｄｆはトリミング情報ｔｒと拡張画像データｉｄ＿ｅｘを含む。トリミング情報ｔｒは、図２（ａ）に示したユーザ設定画像ｉｍ＿ｕｓの左上の座標（ｘ１，ｙ１）と右下の座標（ｘ２，ｙ２）でユーザ設定画像領域を示すトリミング枠を表わす。
【００２７】
画像のトリミング及び印刷は例えば以下のように行なわれる。ユーザが、デジタルカメラ１００をパーソナルコンピュータ２００に接続し、画像データファイルｉｄｆをパーソナルコンピュータ２００に送信するコマンドを指定した時、トリミング実行部１４０（図１）は、拡張画像データｉｄ＿ｅｘに対して、トリミング情報ｔｒに基づいてトリミングを実行する。具体的には、トリミング情報ｔｒで指定されているトリミング枠内の画像データのみを残し、他の画像データを削除する。デジタルカメラ１００は、トリミング処理後の画像データ（以下、トリミング画像データと呼ぶ）を、パーソナルコンピュータ２００に送信する。このトリミング画像データは、ユーザ設定画像ｉｍ＿ｕｓを表わしている。ユーザが画像の印刷を指示するコマンドを指定すると、パーソナルコンピュータ２００は、トリミング画像データを、プリンタ３００に送信する。プリンタ３００の入力部３１０は、トリミング画像データを入力し、印刷部３２０は、そのトリミング画像データに基づいて印刷を実行し、ユーザ設定画像ｉｍ＿ｕｓを印刷する。
【００２８】
図４は、デジタルカメラ１００の編集モード時の編集操作について示す説明図である。ユーザは、編集モードを選択することにより、上記した印刷処理を実行する前に、トリミング枠を編集し、ユーザ設定画像領域を変更することができる。ユーザがデジタルカメラ１００の編集モードボタン１５２を押下して、編集モードが選択されると、表示部１５０は、記憶部１３０の拡張画像データｉｄ＿ｅｘに基づいて、拡張画像ｉｍ＿ｅｘを表示する。表示部１５０は、更に、トリミング枠ｔｒｆを点線で表示する。ユーザは、移動ボタン１５４の矢印ボタンにより、トリミング枠ｔｒｆを上下左右に移動させることが可能である。
【００２９】
図５（ａ）は、トリミング枠ｔｒｆを拡張画像ｉｍ＿ｅｘ内で移動させる例を示す説明図である。ユーザが、移動ボタン１５４により、トリミング枠ｔｒｆを一点鎖線で示すトリミング枠ｔｒｆ１に移動させ、移動ボタン１５４の中央のＯＫボタンを押下すると、記録部１２０は、トリミング情報ｔｒを、変更後のトリミング枠ｔｒｆ１を示す座標（ｘ３，ｙ３），（ｘ４，ｙ４）に変更する。トリミング実行部１４０は、画像データファイルｉｄｆをパーソナルコンピュータ２００に送信する際、拡張画像データｉｄ＿ｅｘに対して、変更後のトリミング情報ｔｒに基づいてトリミングを実行する。図５（ｂ）は、トリミング枠ｔｒｆを移動しないで、デフォルトで印刷した場合のユーザ設定画像ｉｍ＿ｕｓであり、図５（ｃ）は、トリミング枠ｔｒｆを移動した後、印刷したユーザ設定画像ｉｍ＿ｕｓ１である。
【００３０】
図５（ｃ）のユーザ設定画像ｉｍ＿ｕｓ１から分かるように、ここでは、構図の基本として知られている三分割法をもとに、顔の位置が縦横の約１／３の分割点にくるよう、トリミング枠ｔｒｆを移動している。本実施例のデジタルカメラ１００によれば、トリミング調整用画像ｉｍ＿ｔｒを含んで撮影した拡張画像ｉｍ＿ｅｘ内でトリミング枠ｔｒｆを移動させることで、ユーザ設定画像ｉｍ＿ｕｓを望むように変更することができる可能性が高くなる。なお、ユーザは、図４の取消ボタン１５５を押下することにより、トリミング枠ｔｒｆの変更を取り消すことができる。このとき、記録部１２０は、トリミング情報ｔｒを、再度、座標（ｘ１，ｙ１），（ｘ２，ｙ２）に変更する。
【００３１】
ユーザは、トリミング枠ｔｒｆを移動させるのみではなく、トリミング枠ｔｒｆの形状を変更可能であるものとしても良い。図６は、トリミング枠ｔｒｆの形状を変更する例を示す説明図である。ユーザは、点線の枠で示すトリミング枠ｔｒｆの形状を、太い実線で示すトリミング枠ｔｒｆ２に変更して、トリミング枠ｔｒｆのアスペクト比を変更することも可能である。従来は、トリミング調整用画像ｉｍ＿ｔｒが拡張画像ｉｍ＿ｅｘに含まれておらず、拡張画像データｉｄ＿ｅｘはユーザ設定画像ｉｍ＿ｕｓ分しか取得されていなかったので、トリミング枠ｔｒｆのアスペクト比をトリミング枠ｔｒｆ２のアスペクト比と一致するように変更しようとすると、一点鎖線で示すような小さなトリミング枠ｔｒｆ３になる。これでは、被写体の一部（この例では建物の端）が切れた画像しか得られなかった。しかし、本実施例のデジタルカメラ１００によれば、トリミング調整用画像ｉｍ＿ｔｒを含む拡張画像データｉｄ＿ｅｘを取得するので、アスペクト比を変更しても、被写体の一部が切れないトリミング枠ｔｒｆ２のユーザ設定画像ｉｍ＿ｕｓを得られる。すなわち、ユーザが望むユーザ設定画像ｉｍ＿ｕｓを提供することが可能である。
【００３２】
本実施例のデジタルカメラによれば、ユーザは、トリミング可能画像撮影モードボタン１５１を押すだけで、記録部１２０でトリミング情報ｔｒを付加することができる。更に、トリミング情報ｔｒに基づいて、拡張画像データｉｄ＿ｅｘに対してトリミングを実行するトリミング実行部１４０を備えるので、デジタルカメラ１００でトリミングを実行することができる。
【００３３】
更に、表示部１５０は、撮影部１１０のＣＣＤパネルが捉える拡張画像ｉｍ＿ｅｘから、トリミング調整用画像ｉｍ＿ｔｒを除いたユーザ設定画像ｉｍ＿ｕｓを表示するので、ユーザは、撮影前および撮影後にユーザ設定画像ｉｍ＿ｕｓを確認することができる。
【００３４】
更に、表示部１５０は、編集モード時は、拡張画像ｉｍ＿ｅｘを表示するので、ユーザは、撮影後に拡張画像を確認することもできる。拡張画像ｉｍ＿ｅｘにトリミング枠ｔｒｆを表示するので、ユーザ設定画像領域も確認することができる。なお、撮影時にトリミング可能画像撮影モードボタン１５１と編集モードボタン１５２の両方を押すことによって、撮影前（画像データファイルの作成前）に拡張画像を確認できるようにデジタルカメラ１００を構成しても良い。
【００３５】
更に、拡張画像ｉｍ＿ｅｘは、ユーザ設定画像領域よりも広範囲で撮影されているので、拡張画像ｉｍ＿ｅｘの範囲内でトリミング枠ｔｒｆを移動することもでき、構図変更の自由度が高まる。また、拡張画像ｉｍ＿ｅｘ内でトリミング枠ｔｒｆを広げることもでき、ユーザに望むユーザ設定画像ｉｍ＿ｕｓを提供する。
【００３６】
その他の実施例：
（１）上記実施例では、撮影時におけるトリミング調整用画像領域の幅は固定値であったが、可変であるものとしても良い。例えば、画像を印刷する用紙のサイズ（L版、Ａ４）を選択し、撮影するデジタルカメラ１００において、選択された用紙サイズに応じてトリミング調整用画像領域の幅を変更するものとしても良い。
【００３７】
（２）上記実施例では、トリミング可能画像撮影モードボタン１５１や編集モードボタン１５２を備え、ボタンのＯＮ／ＯＦＦでトリミング可能画像撮影モードや編集モードにするか否か選択可能としていたが、トリミング可能画像撮影モードや編集モードの選択方法はこれに限らず、例えば、設定画面を表示し、設定画面の中でＯＮ／ＯＦＦの切り替えをするものとしても良い。
【００３８】
（３）上記実施例では、トリミング情報ｔｒは、ユーザ設定画像領域の左上の座標と右下の座標であるものとしたが、これに限らず、トリミング情報ｔｒは、ユーザ設定画像領域を示す情報であれば良い。例えば、トリミング情報ｔｒは、トリミングして拡張画像ｉｍ＿ｅｘから削除される領域を示す情報であっても良い。
【００３９】
（４）上記実施例では、デジタルカメラ１００にトリミング実行部１４０を備え、トリミング画像データｉｄｆをパーソナルコンピュータ２００に送信するものとしたが、これに限らず、パーソナルコンピュータ２００またはプリンタ３００がトリミング実行部３３０（図１参照）を備え、パーソナルコンピュータ２００またはプリンタ３００が画像データファイルｉｄｆを入力して、トリミングを実行するものとしても良い。トリミング枠ｔｒｆの変更も、パーソナルコンピュータ２００やプリンタ３００で実行するものとしても良い。
【００４０】
（５）上記実施例では、デジタルカメラ１００のトリミング画像データを、パーソナルコンピュータ２００を介してプリンタ３００に送信していたが、デジタルカメラ１００から直接プリンタ３００に送信するものとしても良い。デジタルカメラ１００とプリンタ３００を直接接続し、データの送受信を実行するための規格が存在し、その中には、デジタルカメラ１００からプリンタ３００へ画像データを送信する際、トリミングの指定をすることが可能であるものもある。デジタルカメラ１００は、トリミングの指定としてトリミング情報ｔｒを送信し、プリンタ３００が拡張画像データｉｄ＿ｅｘとトリミング情報ｔｒを入力して、トリミングを実行するものとしても良い。
【００４１】
（６）上記実施例では、ユーザ設定画像ｉｍ＿ｕｓをプリンタ３００で印刷しているが、印刷する必要はなく、表示部１５０やパーソナルコンピュータ２００のモニタでユーザ設定画像ｉｍ＿ｕｓを表示するのみであっても良い。
【００４２】
（７）上記実施例では、表示部１５０は、拡張画像ｉｍ＿ｅｘを表示し、デジタルカメラ１００でトリミング枠ｔｒｆを移動するなどの編集が可能であるものとしたが、編集の機能は必ずしも必要ではなく、デフォルトのユーザ設定画像ｉｍ＿ｕｓを印刷するものとしても良い。表示部１５０で拡張画像ｉｍ＿ｅｘを示す機能も必ずしも要しない。
【００４３】
以上、実施例に基づき本発明に係るデジタルカメラと、画像ファイル作成方法と、印刷装置と、コンピュータプログラムを説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれることはもちろんである。
【図面の簡単な説明】
【００４４】
【図１】実施例としてのデジタルカメラ１００を含む画像処理システムを示す説明図。
【図２】トリミング可能画像撮影モード時の撮影について示す説明図。
【図３】画像データファイルｉｄｆの様式を示す説明図。
【図４】編集モード時の編集操作について示す説明図。
【図５】トリミング枠ｔｒｆを拡張画像ｉｍ＿ｅｘ内で移動させる例を示す説明図。
【図６】トリミング枠ｔｒｆの形状を変更する例を示す説明図。
【符号の説明】
【００４５】
１００...デジタルカメラ
１１０...撮影部
１２０...記録部
１３０...記憶部
１４０...トリミング実行部
１５０...表示部
１５１...トリミング可能画像撮影モードボタン
１５２...編集モードボタン
１５３...ズームボタン
１５４...移動ボタン
１５５...取消ボタン
２００...パーソナルコンピュータ
３００...プリンタ
３１０...入力部
３２０...印刷部
３３０...トリミング実行部
ｉｄ＿ｅｘ...拡張画像データ
ｉｄｆ...画像データファイル
ｉｍ＿ｕｓ...ユーザ設定画像
ｉｍ＿ｅｘ...拡張画像
ｉｍ＿ｔｒ...トリミング調整用画像
ｔｒ...トリミング情報
ｔｒｆ，ｔｒｆ１，ｔｒｆ２，ｔｒｆ３...トリミング枠
【図１】
2006279661.tif 000003
【図２】
2006279661.tif 000004
【図３】
2006279661.tif 000005
【図４】
2006279661.tif 000006
【図５】
2006279661.tif 000007
【図６】
2006279661.tif 000008